(57)【特許請求の範囲】
【請求項１】
ベビーカーの左右２つのアームレストに亘るように配置されると共に、アーム部材と、第１継手と、制御部材と、第２継手とを有するベビーカー用のガードアーム装置であって、
前記アーム部材は２つの端部を有し、
前記第１継手は、前記アーム部材の一方の端部に接続されており、且つ前記ベビーカーの一方のアームレストに取付けるための略ヒョウタン状の取付穴を有し、
前記制御部材は、略閉ループ状の弾性部と、前記弾性部から延在したアクチュエーターとを含み、該アクチュエーターが前記第１継手の内部に摺動可能に収容され該アクチュエーターが押圧されて、前記第１継手に掛合するための、前記一方のアームレストに設けられた掛合部材を作動させることによって、前記掛合部材と前記第１継手の第１壁部との掛合を解除することで、前記第１継手と前記一方のアームレストとが前記ヒョウタン状の取付穴によって干渉することなく、該第１継手を前記一方のアームレストから外すことが可能であり、
前記第２継手は、前記アーム部材の他方の端部に接続されており、且つ前記ベビーカーに取付けるための円形状の収容穴を有する、
ことを特徴とするベビーカー用のガードアーム装置。
【請求項２】
前記第１継手が前記アーム部材に固定され、該アーム部材が揺動可能に前記第２継手と接続されていることを特徴とする、請求項１に記載のベビーカー用のガードアーム装置。
【請求項３】
前記アーム部材は、前記第２継手と揺動可能に接続される枢接部材と、前記枢接部材と結合されるアーム本体とを含むことを特徴とする、請求項２に記載のベビーカー用のガードアーム装置。
【請求項４】
前記第１継手は、リブと切欠とを有し、前記制御部材は前記弾性部から延在したフィンを有し、前記アクチュエーターが前記切欠に摺動可能に収容される際に、前記フィンと前記リブとが位置合わせをしていることを特徴とする、請求項３に記載のベビーカー用のガードアーム装置。
【請求項５】
前記第１継手は、前記取付穴を画定するための第１壁部を有し、前記第１壁部がヒョウタン状を呈し、前記制御部材の弾性部が前記第１壁部と位置合わせされるように、前記弾性部が前記第１壁部上に配置されることを特徴とする、請求項４に記載のベビーカー用のガードアーム装置。
【請求項６】
フレームと、前記フレームの両側それぞれに接続される２つのアームレストと、前記２つのアームレストに亘るように配置されるガードアームとを有するベビーカーであって、
前記ガードアーム装置は、アーム部材と、第１継手と、制御部材と、第２継手とを有し、
前記アーム部材は２つの端部を有し、
前記第１継手は、前記アーム部材の一方の端部に接続されており、且つ一方のアームレストに取付けるための略ヒョウタン状の取付穴を有し、
前記制御部材は、略閉ループ状の弾性部と、前記弾性部から延在したアクチュエーターとを含み、該アクチュエーターが前記第１継手の内部に摺動可能に収容され、該アクチュエーターが押圧されて、前記第１継手に掛合するための、前記一方のアームレストに設けられた掛合部材を作動させることによって、前記掛合部材と前記第１継手の第１壁部との掛合を解除することで、前記第１継手と前記一方のアームレストとが前記ヒョウタン状の取付穴によって干渉することなく、該第１継手を前記一方のアームレストから外すことが可能であり、
前記第２継手は、前記アーム部材の他方の端部に接続されており、且つ円形状の収容穴を有し、
前記２つのアームレストそれぞれは、支柱と、一部が前記支柱から突出する掛合部材とを有し、前記支柱に対して前記掛合部材が相対に動作することが可能であり、
前記２つの支柱のうち、一方の支柱が前記ガードアーム装置の取付穴に収容され、他方の支柱が前記ガードアーム装置の収容穴に収容されていることを特徴とする、ベビーカー。
【請求項７】
前記第１継手が前記アーム部材に固定され、該アーム部材が揺動可能に前記第２継手と接続されていることを特徴とする、請求項６に記載のベビーカー。
【請求項８】
前記アーム部材は、前記第２継手と揺動可能に接続される枢接部材と、前記枢接部材と結合されるアーム本体とを含むことを特徴とする、請求項７に記載のベビーカー。
【請求項９】
前記第１継手は、リブと切欠とを有し、前記制御部材は前記弾性部から延在したフィンを有し、前記アクチュエーターが前記切欠に摺動可能に収容される際に、前記フィンと前記リブとが位置合わせをしていることを特徴とする、請求項８に記載のベビーカー。
【請求項１０】
前記第１継手は、前記取付穴を画定するための第１壁部を有し、前記第１壁部がヒョウタン状を呈し、前記制御部材の弾性部が前記第１壁部と位置合わせされるように、前記弾性部が前記第１壁部上に配置されることを特徴とする、請求項９に記載のベビーカー。
【請求項１１】
前記第１継手は、前記取付穴を画定するための第１壁部を有し、前記第２継手は、前記収容穴を画定するための第２壁部を有し、前記２つの掛合部材それぞれは前記第１壁部、前記第２壁部に掛合していることを特徴とする、請求項６〜８の何れかに記載のベビーカー。
【請求項１２】
前記制御部材は、前記弾性部から延在したフィンを有し、前記第１継手はリブを有し、
前記アクチュエーターを押圧する際に、前記アクチュエーターが前記掛合部材を作動させることによって該掛合部材と前記第１継手の前記第１壁部との掛合を解除すると共に、前記フィンを前記リブに当接させることによって、前記支柱から前記第１継手を外すことが可能となる、ことを特徴とする請求項１１に記載のベビーカー。
【請求項１３】
前記支柱は、その底端に配置するフランジと、その途中部に配置する長穴とを有し、前記アームレストはアーム部と結合部材とを有し、前記結合部材が前記支柱の長穴に噛み合わされる際に、前記アーム部に対して、前記結合部材と前記支柱のフランジとが反対側に位置していることを特徴とする、請求項６に記載のベビーカー。
【請求項１４】
前記支柱のフランジには切欠が形成され、前記アーム部が前記切欠に噛み合わせることを特徴とする、請求項１３に記載のベビーカー。
【発明の詳細な説明】
【技術分野】
【０００１】
本発明はベビーカーに関するものであり、特にガードアーム装置を具備するベビーカー及びそのガードアーム装置に関するものである。
【背景技術】
【０００２】
近年、ベビーカーの最新の安全規格では、乗せた赤ちゃんがベビーカーから容易に出ないように、ベビーカーの前部に配置されるガードアームと背もたれとの間の距離を制限することにより、赤ちゃんの活動空間を減少させる。ところが、このような狭い空間において、ベビーカーに赤ちゃんを入れることや、ベビーカーから赤ちゃんを抱き上げることが不便となり、その利便性を高めるためには、ベビーカーの前部に配置されるガードアームを取り外さなければならない。
【０００３】
図１は特許文献１に掲示される従来のベビーカー及びそのガードアーム１１を示す図面である。該ガードアーム１１には、可動継手が設けられていなく且つ変形し難いので、ベビーカーに取付ける際にもベビーカーから取り外す際にも、両手でガードアーム１１の両端を把持しながら両側のアームレスト１２に取付け、或いは両側のアームレスト１２から取り外す必要がある。又、上記の操作期間において、ガードアーム１１を取付ける・取り外す際に、片手でアームレスト１２に設けられるボタン（図示せず）を押す必要もあるので、操作が非常に不便である。
【０００４】
更に、前記ガードアーム１１を片側でアームレスト１２から取り外すことができないことから、両側共にアームレスト１２から取り外さざるを得ないので、ガードアーム１１をそのまま地面に置くと、汚れる恐れがあるが、ガードアーム１１を別の場所に置くと、失う恐れがある、などの問題を抱える。
又、従来技術によるボタンの構成が複雑であるので、製造コストが高いとの問題も抱える。
【特許文献１】欧州特許第０２５６４９５号明細書
【発明の開示】
【発明が解決しようとする課題】
【０００５】
そこで、本発明は、片側でベビーカーに対して取付ける・取り外すことができるベビーカー用のガードアーム装置を提供することを目的としている。
又、本発明は、その一方の端部がベビーカーから取り外した後、他方の端部がベビーカーの周りに回動することが可能であるベビーカー用のガードアーム装置を提供することを目的としている。
又、本発明は、その制御構成が簡単であるベビーカー用のガードアーム装置を提供することを目的としている。
又、本発明は、ガードアーム装置を片側でベビーカーに対して取付ける・取り外すことができると共に、ガードアーム装置における一方の端部がベビーカーから取り外した後、他方の端部がベビーカーの周りに回動することが可能であり、且つその制御構成が簡単であるベビーカーを提供することを目的としている。
【課題を解決するための手段】
【０００６】
上記目的を達成するために、本発明に係るベビーカー用のガードアーム装置は、アーム部材と、第１継手と、制御部材と、第２継手とを有するベビーカー用のガードアーム装置であって、前記アーム部材は反対する２つの端部を有し、前記第１継手は、前記アーム部材の一方の端部に接続されており、且つ前記ベビーカーに取付けるための非円形状の取付穴を有し、前記制御部材は、一部が前記第１継手の内部に摺動可能に収容されており、前記第２継手は、前記アーム部材の他方の端部に接続されており、且つ前記ベビーカーに取付けるための円形状の枢転穴を有する、ことを特徴とするものである。
【０００７】
本発明に係るベビーカー用のガードアーム装置においては、前記第１継手が前記アーム部材に固定され、前記第２継手が前記アーム部材に回転可能に接続されていることが好ましい。
【０００８】
本発明に係るベビーカー用のガードアーム装置においては、前記アーム部材は、前記第２継手に回転可能に接続される枢接部材と、前記枢接部材と結合されるアーム本体とを含むことが好ましい。
【０００９】
本発明に係るベビーカー用のガードアーム装置においては、前記制御部材は、略閉ループ状の弾性部と、前記弾性部から延在するアクチュエーターとを含むことが好ましい。
【００１０】
本発明に係るベビーカー用のガードアーム装置においては、前記第１継手は、リブと切欠とを有し、前記制御部材は前記弾性部から延在するフィンを有し、前記アクチュエーターが前記切欠に摺動可能に収容される際に、前記フィンと前記リブとが位置合わせをしていることが好ましい。
【００１１】
本発明に係るベビーカー用のガードアーム装置においては、前記第１継手は、前記取付穴を画定するための第１壁部を有し、前記第１壁部がヒョウタン状を呈し、前記制御部材の弾性部と前記第１壁部とが略位置合わせをしていることが好ましい。
【００１２】
又、上記目的を達成するために、本発明に係るベビーカーは、フレームと、前記フレームの両側それぞれに接続される２つのアームレストと、前記２つのアームレストに亘るように配置されるガードアームとを有するベビーカーであって、前記ガードアーム装置は、アーム部材と、第１継手と、制御部材と、第２継手とを有し、前記アーム部材は反対する２つの端部を有し、前記第１継手は、前記アーム部材の一方の端部に接続されており、且つ非円形状の取付穴を有し、前記制御部材は、一部が前記第１継手の内部に摺動可能に収容されており、前記第２継手は、前記アーム部材の他方の端部に接続されており、且つ円形状の枢転穴を有し、前記２つのアームレストそれぞれは、支柱と、一部が前記支柱から突出する掛合部材とを有し、前記支柱に対して前記掛合部材が相対に運動することが可能であり、前記２つの支柱のうち、一方の支柱が前記ガードアーム装置の取付穴に収容され、他方の支柱が前記ガードアーム装置の枢転穴に収容されていることを特徴とするものである。
【００１３】
本発明に係るベビーカーにおいては、前記第１継手が前記アーム部材に固定され、前記第２継手が前記アーム部材に回転可能に接続されていることが好ましい。
【００１４】
本発明に係るベビーカーにおいては、前記アーム部材は、前記第２継手に回転可能に接続される枢接部材と、前記枢接部材と結合されるアーム本体とを含むことが好ましい。
【００１５】
本発明に係るベビーカーにおいては、前記制御部材は、略閉ループ状の弾性部と、前記弾性部から延在するアクチュエーターとを含むことが好ましい。
【００１６】
本発明に係るベビーカーにおいては、前記第１継手は、リブと切欠とを有し、前記制御部材は前記弾性部から延在するフィンを有し、前記アクチュエーターが前記切欠に摺動可能に収容される際に、前記フィンと前記リブとが位置合わせをしていることが好ましい。
【００１７】
本発明に係るベビーカーにおいては、前記第１継手は、前記取付穴を画定するための第１壁部を有し、前記第１壁部がヒョウタン状を呈し、前記制御部材の弾性部と前記第１壁部とが略位置合わせをしていることが好ましい。
【００１８】
本発明に係るベビーカーにおいては、前記第１継手は、前記取付穴を画定するための第１壁部を有し、前記第２継手は、前記枢転穴を画定するための第２壁部を有し、前記２つの掛合部材それぞれは前記第１壁部、前記第２壁部に掛合していることが好ましい。
【００１９】
本発明に係るベビーカーにおいては、前記制御部材は、前記弾性部から延在するフィンを有し、前記第１継手はリブを有し、前記アクチュエーターを押圧する際に、前記アクチュエーターが前記掛合部材を作動させると共に、前記フィンを前記リブに当接させることによって、前記支柱から前記第１継手を外すことが可能となることが好ましい。
【００２０】
本発明に係るベビーカーにおいては、前記支柱は、その底端に配置するフランジと、その途中部に配置する長穴とを有し、前記アームレストはアーム部と結合部材とを有し、前記結合部材が前記支柱の長穴に噛み合わされる際に、前記アーム部に対して、前記結合部材と前記支柱のフランジとが反対側に位置していることが好ましい。
【００２１】
本発明に係るベビーカーにおいては、前記支柱のフランジには切欠が形成され、前記アーム部が前記切欠に噛み合わせることが好ましい。
【発明の効果】
【００２２】
本発明の上記構成により、ガードアーム装置を片側でベビーカーに対して取付ける・取り外すことができると共に、ガードアーム装置における一方の端部がベビーカーから取り外した後、他方の端部がベビーカーの周りに回動することが可能であり、且つその制御構成が簡単である等の効果を達成することができる。
【発明を実施するための最良の形態】
【００２３】
以下、本発明に係るベビーカー及びそのガードアーム装置の好適な実施形態について、図面を参照して詳細に説明するが、本発明は下記の実施形態により限定されるものではない。
【００２４】
図２は、本発明に係るベビーカーとガードアーム装置との組み合わせの斜視図である。図３は、本発明に係るベビーカーのアームレストを示す一部破断斜視図である。図４は、本発明に係るガードアーム装置の第１継手の近傍を示す分解斜視図である。図５は、本発明に係るガードアーム装置をベビーカーに取付けた状態を示す斜視図である。図６は、本発明に係るガードアーム装置の第２継手の近傍を示す分解斜視図である。図７は、本発明に係るガードアーム装置の第１継手を一方のアームレストに取付けた状態を示す一部破断斜視図である。図８は、本発明に係るガードアーム装置の第２継手を他方のアームレストに取付けた状態を示す一部破断斜視図である。
【００２５】
図２〜４に示すように、本発明に係るベビーカー２は、フレーム３、フレーム３の両側それぞれに接続される２つのアームレスト４，４と、２つのアームレスト４，４に亘るように配置されるガードアーム５とからなるものである。
各アームレスト４には、アーム部４１と、アーム部４１に取付ける支柱４２と、支柱４２を固定するための結合部材４４と、一部が支柱４２に収容される掛合部材４３とを有する。
【００２６】
アーム部４１には、穴部４１１が形成されると共に、底面にリブ（図示せず）が設けられる。支柱４２は、底端に配置するフランジ４２１と、フランジ４２１に形成される切欠４２４と、上端付近に形成される一対の穿孔４２２，４２２と、途中部に形成する一対の長穴４２３，４２３とを有する。結合部材４４は弾性材から構成され、内側へ曲がる一対の折曲部４４１，４４１を有する。又、掛合部材４３は弾性材から構成され、全体がＶ字形状を呈する一対の変形部４３１，４３１と、各変形部４３１の先端から延在する一対の凸部４３２，４３２とを有する。
【００２７】
図４〜６に示すように、ガードアーム装置５は、アーム部材５１と、アーム部材５１の一方の端部に固定される第１継手５２と、一部が第１継手５２の内部に収容される制御部材５３と、アーム部材５１の他方の端部に回転可能に接続される第２継手５４とを有する。
【００２８】
アーム部材５１は、略弧状のアーム本体５１１と、一部がアーム本体５１１内に収容される枢接部材５１２とを有する。アーム本体５１１の両端の近傍には、それぞれ大径穴５１３と小径穴５１４とが形成されている。枢接部材５１２は、ヘッド部５１５と、ヘッド部５１５に形成される貫通穴５１６と、ヘッド部５１５から延在すると共に、互いに平行している一対の第１耳部５１７，５１７と、各第１耳部５１７に形成される第１貫通穴５１８，５１８とを有する。
【００２９】
第１継手５２は、第１ベース体５２１と第１キャップ体５２２とを有する。第１ベース体５２１は、底端に形成される第１穿孔５２３と、上端近傍に配置される柱部５２８と、柱部５２８の中心に形成される第１穿孔５２３’と、第１穿孔５２３と第１穿孔５２３’との間に配置される第１壁部５２４及びリブ５２５とを有する。
第１壁部５２４によって非円形状の取付穴５２６が画定され、取付穴５２６の形状としては、例えば楕円形、矩形…等が列挙される。本実施形態に例示される取付穴５２６の形状は、直径が異なる２つの円を繋いだ略ヒョウタン状となる。リブ５２５は、一体状のリブとしてもよいし、間隔をおいて２つのリブとしてもよいが、本実施形態では後者を示す。第１キャップ体５２２は、底端の近傍に形成されると共に対向する２つの切欠５２７，５２７と、上端の近傍に配置される柱部（図示せず）とを有する。
【００３０】
制御部材５３は、閉ループ状の弾性部５３１と、弾性部５３１における曲率半径が大きい部位から外側へ延在すると共に、対向している２つのアクチュエーター５３２と、弾性部５３１における曲率半径が小さい部位から径方向へ延在する２つのフィン５３３とを有する。弾性部５３１は、例えばプラスチック等の弾性変形可能な素材から構成される。
【００３１】
第２継手５４は、第２ベース体５４１と第２キャップ体５４２とを有する。第２ベース体５４１は、底端に形成される第２穿孔５４３と、上端近傍の柱部の中心に形成される第２穿孔５４３’と、第２穿孔５４３と第２穿孔５４３’との間に配置される第２壁部５４４と、第２壁部５４４によって画定される円形状の枢転穴５４５と、第２ベース体５４１の上端から延在すると共に平行している２つの第２耳部５４６，５４６と、各第２耳部５４６に形成される第２貫通穴５４７，５４７と、を有する。一方、第２キャップ体５４２は、一端から延在すると共に平行している２つの第３耳部５４８，５４８と、各第３耳部５４８に形成される第３貫通穴５４９，５４９と、を有する。
【００３２】
［構成部材の取付け］
＜アームレスト４の取付け＞
図３、４に示すように、先ずは支柱４２を、支柱４２のフランジ４２１がアーム部４１の底面に当接すると共に、支柱４２の切欠４２４にアーム部４１の底面に形成されるリブ（図示せず）を噛み合わせるまでに、アーム部４１の穴部４１１に挿入する。この際に、支柱４２の長穴４２３は丁度アーム部４１の上方に位置する。そして、結合部材４４の弾性により、結合部材４４を支柱４２に環装しながら、結合部材４４の折曲部４４１を支柱４２の長穴４２３内に嵌入させる。又、アーム部４１の底面に設けられるリブ（図示せず）が支柱４２の切欠４２４の内部に噛み合われていることから、アーム部４１に対して支柱４２が相対に回転することを行わない。又、アーム４１が結合部材４４と支柱４２のフランジ４２１との間に挟持されていることから、支柱４２がアーム４１から離れることはない。そして、掛合部材４３を支柱４２の下方から挿入しながら、掛合部材４３の２つの凸部４３２，４３２それぞれを支柱４２の穿孔４２２，４２２から突出させることにより、アームレスト４の取付けが完成する。
【００３３】
＜ガードアーム装置５の取付け＞
図４、５、７に示すように、先ずは制御部材５３の弾性部５３１を第１壁部５２４の上端に配置し、その後第１ベース体５２１の柱部５２８及び第１キャップ体５２２の柱部（図示せず）をアーム本体５１１の大径穿孔５１３内に挿入することにより、第１ベース体５２１と第１キャップ体５２２によってアーム本体５１１の一端を覆うと共に、制御部材５３のアクチュエーター５３２を第１キャップ体５２２の切欠５２７内に収容させ、且つ制御部材５３のフィン５３３を第１ベース体５２１のリブ５２５と位置合わせる。そして、比較的に長い第１ネジ６０と比較的に短い第１ネジ６１それぞれを、第１ベース体５２１の第１穿孔５２３，５２３’を介して、第１キャップ体５２２の柱部に螺止することによって、第１継手５２がアーム本体５１１の一端に固定される。
図５、６、８に示すように、枢接部材５１２のヘッド部５１５をアーム本体５１１の他端に挿入し、第１ピン６３を順にアーム本体５１における小径穿孔５１４及び枢接部材５１２における貫通穴５１６に挿入することによって、枢接部材５１２がアーム本体５１１の他端に固定される。このようにして、アーム本体５１１と枢接部材５１２とがアーム５１部材を構成する。
【００３４】
次に、第２ベース体５４１と第２キャップ体５４２とを位置合わせしながら、第２キャップ体５４２の２つの第３耳部５４８，５４８それぞれを第２ベース体５４１の２つの第２耳部５４６，５４６の内側に位置させてから、比較的に長い第２ネジ６２及び比較的に短い第２ネジ６４それぞれを、第２ベース体５４１の第２穿孔５４３’，５４３を通して第２キャップ体５４２に螺止する。このようにして、第２ベース体５４１と第２キャップ体５４２とが第２継手５４を構成する。
【００３５】
又、第２ベース体５４１の２つの第２耳部５４６，５４６それぞれを、枢接部材５１２の第１耳部５１７，５１７の内側に位置させ、第２ピン６５を順に第１、第２、第３貫通穴５１８，５４７，５４９に挿入することによって、第２継手５４を枢接部材５１２に回転可能に接続させ、ガードアーム装置５の取付けが完成する。
【００３６】
図６、８に示すように、ガードアーム装置５をベビーカー２に取り付ける際に、先ずは掛合部材４３の凸部４３２を支柱４２の内側へ押圧しながら、支柱４２を第２継手５４の枢転穴５４５内に挿入する。掛合部材４３の凸部４３２が第２壁部５４４の上方に達する際に、その変形部４３１の回復力により、掛合部材４３の凸部４３２が再び支柱４２の外側へ突出することによって、第２継手５４が支柱４２に枢転可能に結合される。
【００３７】
又、図４、７に示すように、前記第２継手５４の取付け手法と同様の手法を用いて、第１継手５２を他方の支柱４２に取り付けて、この際、制御部材５３の２つのアクチュエーター５３２，５３２それぞれが掛合部材４３の凸部４３２，４３２と位置合わせる。ここまで、ガードアーム装置５を具備するベビーカー２の取付けが完成する。
【００３８】
［ガードアーム装置に関する操作］
図９、１０に示すように、赤ちゃんをベビーカーに入れる場合には、２つの指を用いて、同時に制御部材５３の２つのアクチュエーター５３２，５３２を押圧し、該２つのアクチュエーター５３２，５３２それぞれが第１キャップ体５２２の２つの切欠５２７，５２７によって案内されて摺動し、制御部材５３の弾性部５３１を変形させ、制御部材５３の２つのフィン５３３，５３３それぞれを第１ベース体５２１の２つのリブ５２５，５２５に当接し、且つ制御部材５３におけるフィン５３３が設けていない側の端部も第１キャップ体５２２の内側に当接することによって、弾性部５３１における一方のアクチュエーター５３２側の変形量と他方のアクチュエーター５３２側の変形量とが同一となり、一側の変形量が小さく他側の変形量が大きいことから弾性部５３１素材の弾性変形限度を超えてしまう、弾性部５３１が破壊する問題は発生しない。
【００３９】
又、制御部材５３の弾性部５３１が変形可能であるため、２つのアクチュエーター５３２，５３２が対向的に運動することによって、掛合部材４３の２つの凸部４３２，４３２を支柱４２の内側へ押圧し、凸部４３２と第１継手５２の第１壁部５２４との掛合が解除され、支柱４２から第１継手５２を取り外すことができる。
【００４０】
図１１、１２に示すように、この際、第２継手５４は他方のアームレスト４に結合されていることから、ガードアーム装置５が片側で一方のアームレスト４から取り外すことができる。このように片側で取り外しを行うので、第１継手５２を支柱４２の中心軸線と平行に支柱４２から取り外すことができなく、支柱４２の中心軸線に対して傾斜させて取り外す必要があることから、第１継手５２の取付穴５２６が円形状ではなく非円形状に形成することによって、取り外す際に第１壁部５２４と支柱４２との干渉を避けることが可能となる。
更に、アーム本体５１１の他端に固定される枢接部材５１２が、第２継手５４に対して矢印Ａの方向へ揺動可能と構成され、この構成によれば、支柱４２から第１継手５２をスムーズに取り外すことに寄与することができる。
【００４１】
図１３、１４に示すように、支柱４２から第１継手５２を取り外した後、第２継手５４を他方の支柱４２に対して矢印Ｂ方向へ回動することによって、ガードアーム装置５をベビーカー２の一側に位置させ、赤ちゃんの取り入れ、抱き上げることがより便利になる。又、この場合、第２継手５４はそのまま他方の支柱４２に結合されているので、ガードアーム装置５を地面や他の場所へ置く必要もなく、ガードアーム装置５が汚れるや紛失する恐れが全くない。
【００４２】
第１継手５２を再び支柱４２に取り付ける場合には、単に掛合部材４３の２つの凸部４３２，４３２を支柱４２の内側へ押圧しながら、支柱４２を第１継手５２の取付穴５２６内に挿入するだけで、ガードアーム装置５の両端それぞれを両側のアームレスト４に結合させることができるので、容易に赤ちゃんを保護する目的が達成できる。
【００４３】
［他の実施形態］
上記のアーム部材５１は、アーム本体５１１と枢接部材５１２と、２つの部材から構成されるが、単一の部材から構成されてもよい。
【００４４】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００４５】
【図１】従来のベビーカーとガードアーム装置との分解斜視図である。
【図２】本発明に係るベビーカーとガードアーム装置との組み合わせの斜視図である。
【図３】本発明に係るベビーカーのアームレストを示す一部破断斜視図である。
【図４】本発明に係るガードアーム装置の第１継手の近傍を示す分解斜視図である。
【図５】本発明に係るガードアーム装置をベビーカーに取付けた状態を示す斜視図である。
【図６】本発明に係るガードアーム装置の第２継手の近傍を示す分解斜視図である。
【図７】本発明に係るガードアーム装置の第１継手を一方のアームレストに取付けた状態を示す一部破断斜視図である。
【図８】本発明に係るガードアーム装置の第２継手を他方のアームレストに取付けた状態を示す一部破断斜視図である。
【図９】制御部材と、第１ベース体と、アームレストとの組み合わせの平面図であり、制御部材が未だ作動していない状態を示す。
【図１０】制御部材と、第１ベース体と、アームレストとの組み合わせの平面図であり、制御部材が作動している状態を示す。
【図１１】本発明に係るガードアーム装置をベビーカーに取り付けた状態を示す正面図である。
【図１２】本発明に係るガードアーム装置をベビーカーに取り付けた状態を示す正面図であり、アームレストから第１継手を上方へ取り外す状態を示す。
【図１３】本発明に係るガードアーム装置をベビーカーに取り付けた状態を示す平面図。
【図１４】本発明に係るガードアーム装置をベビーカーに取り付けた状態を示す平面図であり、一方のアームレストから第１継手を取り外した後、他方のアームレストに対してガードアーム装置を横方向へ回動する状態を示す。
【符号の説明】
【００４６】
２  ベビーカー
３  フレーム
４  アームレスト
５  ガードアーム装置
１１  ガードアーム
１２  アームレスト
４１  アーム部
４２  支柱
４３  掛合部材
４４  結合部材
５１  アーム部材
５２  第１継手
５３  制御部材
５４  第２継手
６０  第１ネジ
６１  第１ネジ
６２  第２ネジ
６３  第１ピン
６５  第２ピン
４１１  穴部
４２１  フランジ
４２２  穿孔
４２３  長穴
４２４  切欠
４３１  変形部
４３２  凸部
４４１  折曲部
５１１  アーム本体
５１２  枢接部材
５１３  大径穴
５１４  小径穴
５１５  ヘッド部
５１６  貫通穴
５１７  第１耳部
５１８  第１貫通穴
５２１  第１ベース体
５２２  第１キャップ体
５２３  第１穿孔
５２３’  第１穿孔
５２４  第１壁部
５２５  リブ
５２６  取付穴
５２７  切欠
５２８  柱部
５３１  弾性部
５３２  アクチュエーター
５３３  フィン
５４１  第２ベース体
５４２  第２キャップ体
５４３  第２穿孔
５４３’  第２穿孔
５４４  第２壁部
５４５  枢転穴
５４６  第２耳部
５４７  第２貫通穴
５４８  第３耳部
５４９  第３貫通穴
【図１】
0004625064.tif 000002
【図２】
0004625064.tif 000003
【図３】
0004625064.tif 000004
【図４】
0004625064.tif 000005
【図５】
0004625064.tif 000006
【図６】
0004625064.tif 000007
【図７】
0004625064.tif 000008
【図８】
0004625064.tif 000009
【図９】
0004625064.tif 000010
【図１０】
0004625064.tif 000011
【図１１】
0004625064.tif 000012
【図１２】
0004625064.tif 000013
【図１３】
0004625064.tif 000014
【図１４】
0004625064.tif 000015